(57)【要約】【課題】表示装置、表示処理方法、およびプログラムを提供すること。【解決手段】ネットワーク上の情報を取得する取得部と、前記取得部により取得された情報に基づいて表示画面を生成する表示処理部と、前記ネットワーク上の所定のアドレスを記憶する記憶部と、前記取得部により取得された情報のネットワーク上のアドレスが、前記記憶部に記憶されているアドレスに含まれる場合には前記表示処理部を第１の画質モードで動作させ、前記記憶部に記憶されているアドレスに含まれない場合には前記表示処理部を第２の画質モードで動作させる制御部と、を備える表示装置。【選択図】図２
2010130203.tif 000002
【特許請求の範囲】
【請求項１】
ネットワーク上の情報を取得する取得部と；
前記取得部により取得された情報に基づいて表示画面を生成する表示処理部と；
前記ネットワーク上の所定のアドレスを記憶する記憶部と；
前記取得部により取得された情報のネットワーク上のアドレスが、前記記憶部に記憶されているアドレスに含まれる場合には前記表示処理部を第１の画質モードで動作させ、前記記憶部に記憶されているアドレスに含まれない場合には前記表示処理部を第２の画質モードで動作させる制御部と；
を備える、表示装置。
【請求項２】
前記第１の画質モードは動画用の画質モードであり、前記第２の画質モードは静止画用の画質モードである、請求項１に記載の表示装置。
【請求項３】
前記制御部は、ユーザ操作に基づき、前記取得部により現在取得されている情報のネットワーク上のアドレスを前記記憶部に記録する、請求項２に記載の表示装置。
【請求項４】
前記ユーザ操作は、前記第２の画質モードから前記第１の画質モードへの画質モードの変更操作である、請求項３に記載の表示装置。
【請求項５】
記憶媒体にネットワーク上の所定のアドレスを記録するステップと；
前記ネットワーク上の情報を取得するステップと；
前記情報のネットワーク上のアドレスが、前記記憶部に記憶されているアドレスに含まれる場合には第１の画質モードを選択し、前記記憶部に記憶されているアドレスに含まれない場合には第２の画質モードを選択するステップと；
選択されたが画質モードで前記情報に基づいて表示画面を生成するステップと；
を含む、表示処理方法。
【請求項６】
コンピュータを、
ネットワーク上の情報を取得する取得部と；
前記取得部により取得された情報に基づいて表示画面を生成する表示処理部と；
前記ネットワーク上の所定のアドレスを記憶する記憶部と；
前記取得部により取得された情報のネットワーク上のアドレスが、前記記憶部に記憶されているアドレスに含まれる場合には前記表示処理部を第１の画質モードで動作させ、前記記憶部に記憶されているアドレスに含まれない場合には前記表示処理部を第２の画質モードで動作させる制御部と；
として機能させるための、プログラム。
【発明の詳細な説明】
【技術分野】
【０００１】
本発明は、表示装置、表示処理方法、およびプログラムに関する。
【背景技術】
【０００２】
近日、ネットワーク上のＷｅｂ（Ｗｏｒｌｄ  Ｗｉｄｅ  Ｗｅｂ）ページを表示するＰＣ（Ｐｅｒｓｏｎａｌ  Ｃｏｍｐｕｔｅｒ）やテレビジョンなどの表示装置が普及している。Ｗｅｂページには、文字や静止画を主体になっているページ、および動画が主体になっているページが存在する。
【０００３】
このため、表示装置は、静止画用の画質モードおよび動画用の画質モードの双方で動作可能に設計されている。ユーザは、静止画を視聴する場合には静止画用の画質モードを選択し、動画を視聴する場合には動画用の画質モードを選択することにより、好適な画質で視聴することができた。
【０００４】
なお、従来は、ネットワーク上のＷｅｂページの多くが文字や静止画が主体であった。また、表示装置において再生される動画の多くは、放送コンテンツやパッケージコンテンツであった。このため、表示装置に複数の画質モードが用意されているものの、ユーザが静止画用の画質モードから動画用の画質モードに切替える機会は限定的であった。
【発明の開示】
【発明が解決しようとする課題】
【０００５】
しかし、近日、動画を主体とするＷｅｂページが増加し、ユーザが当該Ｗｅｂページを視聴する機会も増加している。また、ユーザが同一のＷｅｂページを長時間にわたって視聴し続ける場合は少ないため、ユーザが視聴するＷｅｂページは、文字や静止画を主体とするページ、および動画を主体とするページとで頻繁に切替えられる傾向にある。その結果、Ｗｅｂページの切替と共に画質モードの切替操作をユーザに強いることになるため、ユーザにとって不便であるという問題があった。
【０００６】
そこで、本発明は、上記問題に鑑みてなされたものであり、本発明の目的とするところは、ユーザによる画質モードの切替操作なしに画質モードを切替えることが可能な、新規かつ改良された表示装置、表示処理方法、およびプログラムを提供することにある。
【課題を解決するための手段】
【０００７】
上記課題を解決するために、本発明のある観点によれば、ネットワーク上の情報を取得する取得部と、前記取得部により取得された情報に基づいて表示画面を生成する表示処理部と、前記ネットワーク上の所定のアドレスを記憶する記憶部と、前記取得部により取得された情報のネットワーク上のアドレスが、前記記憶部に記憶されているアドレスに含まれる場合には前記表示処理部を第１の画質モードで動作させ、前記記憶部に記憶されているアドレスに含まれない場合には前記表示処理部を第２の画質モードで動作させる制御部と、を備える表示装置が提供される。
【０００８】
前記第１の画質モードは動画用の画質モードであり、前記第２の画質モードは静止画用の画質モードであってもよい。
【０００９】
前記制御部は、ユーザ操作に基づき、前記取得部により現在取得されている情報のネットワーク上のアドレスを前記記憶部に記録してもよい。
【００１０】
前記ユーザ操作は、前記第２の画質モードから前記第１の画質モードへの画質モードの変更操作であってもよい。
【００１１】
また、上記課題を解決するために、本発明の別の観点によれば、記憶媒体にネットワーク上の所定のアドレスを記録するステップと、前記ネットワーク上の情報を取得するステップと、前記情報のネットワーク上のアドレスが、前記記憶部に記憶されているアドレスに含まれる場合には第１の画質モードを選択し、前記記憶部に記憶されているアドレスに含まれない場合には第２の画質モードを選択するステップと、選択されたが画質モードで前記情報に基づいて表示画面を生成するステップと、含む表示処理方法が提供される。
【００１２】
また、上記課題を解決するために、本発明の別の観点によれば、コンピュータを、ネットワーク上の情報を取得する取得部と、前記取得部により取得された情報に基づいて表示画面を生成する表示処理部と、前記ネットワーク上の所定のアドレスを記憶する記憶部と、前記取得部により取得された情報のネットワーク上のアドレスが、前記記憶部に記憶されているアドレスに含まれる場合には前記表示処理部を第１の画質モードで動作させ、前記記憶部に記憶されているアドレスに含まれない場合には前記表示処理部を第２の画質モードで動作させる制御部と、として機能させるためのプログラムが提供される。
【発明の効果】
【００１３】
以上説明したように本発明にかかる表示装置、表示処理方法、およびプログラムによれば、ユーザによる画質モードの切替操作なしに画質モードを切替えることが可能である。
【発明を実施するための最良の形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
また、以下に示す項目順序に従って当該「発明を実施するための最良の形態」を説明する。
１．Ｗｅｂページ視聴システムの概要
２．表示装置の構成
３．表示装置の動作
４．まとめ、および補足
【００１６】
＜１．Ｗｅｂページ視聴システムの概要＞
まず、図１を参照し、本発明の一実施形態にかかるＷｅｂページ視聴システム１について概略的に説明する。
【００１７】
図１は、本発明の一実施形態にかかるＷｅｂページ視聴システム１の構成を示した説明図である。図１に示したように、本実施形態にかかるＷｅｂページ視聴システム１は、ネットワーク１２と、表示装置２０と、リモートコントローラ２２と、を備える。
【００１８】
ネットワーク１２は、複数のノード、および複数のノードにより送受信される情報の有線、または無線の伝送路を含む。例えば、ネットワーク１２は、インターネット、電話回線網、衛星通信網などの公衆回線網であってもよい。また、ネットワーク１２は、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）であってもよい。さらに、ネットワーク１２は、ＩＰ−ＶＰＮ（Ｉｎｔｅｒｎｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００１９】
また、ノードには、文字データ、静止画データ、および動画データなどの情報が記憶されている。また、情報の所在にはアドレスが割当てられており、外部装置は当該アドレスにアクセスすることにより情報を取得することができる。なお、当該情報を以下ではＷｅｂページと称する。
【００２０】
リモートコントローラ２２は、ユーザ操作を受け付け、ユーザ操作を示す信号を表示装置２０へ送信する。例えば、リモートコントローラ２２は、ユーザによる操作ボタンの押圧、空間上の動きなどをユーザ操作として受け付けてもよい。
【００２１】
表示装置２０は、リモートコントローラ２２から受信した信号に基づいてネットワーク１２上からＷｅｂページを取得し、画面表示および音声出力を行なう。なお、図１においては、表示装置２０の一例としてテレビジョンを示しているが、本実施形態はかかる例に限定されない。例えば、表示装置２０は、ＰＣ（Ｐｅｒｓｏｎａｌ  Ｃｏｍｐｕｔｅｒ）、家庭用映像処理装置（ＤＶＤレコーダ、ビデオデッキなど）、ＰＤＡ（Ｐｅｒｓｏｎａｌ  Ｄｉｇｉｔａｌ  Ａｓｓｉｓｔａｎｔｓ）、家庭用ゲーム機器、家電機器などの情報処理装置であってもよい。また、表示装置２０は、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの情報処理装置であってもよい。
【００２２】
このような表示装置２０は、静止画用の画質モードおよび動画用の画質モードの双方で動作可能である。表示装置２０は、静止画を主体とするＷｅｂページには静止画用の画質モードを適用し、動画を主体とするＷｅｂページには動画用の画質モードを適用することにより、より好適な表示を行なうことが可能である。
【００２３】
ここで、表示装置２０に適用させる画質モードをユーザが選択する方法も考えられる。しかし、近日、動画を主体とするＷｅｂページが増加し、ユーザが当該Ｗｅｂページを視聴する機会も増加している。また、ユーザが同一のＷｅｂページを長時間にわたって視聴し続ける場合は少ないため、ユーザが視聴するＷｅｂページは、文字や静止画を主体とするページ、および動画を主体とするページとで頻繁に切替えられる傾向にある。その結果、Ｗｅｂページの切替と共に画質モードの切替操作をユーザに強いることになるため、ユーザにとって不便であるという問題があった。
【００２４】
そこで、上記事情を一着眼点にして本実施形態にかかる表示装置２０を創作するに至った。本実施形態にかかる表示装置２０によれば、ユーザによる画質モードの切替操作なしに画質モードを切替えることが可能である。以下、このような表示装置２０について、図２〜図５を参照して詳細に説明する。
【００２５】
＜２．表示装置の構成＞
図２は、本実施形態にかかる表示装置２０の構成を示した機能ブロック図である。図２に示したように、表示装置２０は、受光部２１６と、制御部２２０と、ＬＡＮ接続部２２４と、ブラウザ部２２８と、音声処理部２３２と、音声出力部２３６と、表示処理部２４０と、表示出力部２４４と、メモリ２４８と、を備える。
【００２６】
受光部２１６は、ユーザによる操作内容を示す信号をリモートコントローラ２２から受信し、制御部２２０が解釈可能な信号に変換して制御部２２０へ出力する。なお、リモートコントローラ２２から送信される信号は、赤外線信号であっても無線信号であってもよい。また、表示装置２０には、直接ユーザ操作を受け付ける操作部が設けられていてもよい。
【００２７】
制御部２２０は、受光部２１６から入力される信号に基づいて、表示装置２０の動作全般を制御する。例えば、制御部２２０は、受光部２１６から入力される信号においてアドレスが指定されている場合、当該アドレスに配されているＷｅｂページをブラウザ部２２８に取得させる。なお、ユーザは、表示出力部２４４に表示されているソフトウェアキーボードのようなＧＵＩにおいて、リモートコントローラ２２のボタンを操作することによりアドレスを入力し、所定のボタンの押圧により当該アドレスを決定してもよい。
【００２８】
また、制御部２２０は、表示処理部２４０に動画を表示するために最適な動画用の画質モード（第１の画質モード）で動作させるか、静止画や文字などを表示するために最適な静止画用の画質モード（第２の画質モード）で動作させるかを切替える。当該切替は、ユーザがＧＵＩメニューにおいて指示することも可能であるが、後述するように、制御部２２０が自動的に行なうことも可能である。
【００２９】
ＬＡＮ接続部２２４はネットワーク１２と例えばＬＡＮケーブルで接続されており、ブラウザ部２２８は、ユーザにより指定されたアドレスに対応するＷｅｂサーバにアクセスしてＷｅｂページを取得する取得部としての機能を有する。
【００３０】
音声処理部２３２は、ブラウザ部２２８により取得されたＷｅｂページに含まれる音声データを復号または復調し、音声出力部２３６は、音声処理部２３２により復号または復調された音声データを音声として出力する。なお、音声出力部２３６は、スピーカであっても、イヤホンであっても、人体を媒体にして聴覚に到達する信号を出力してもよい。
【００３１】
表示処理部２４０は、ブラウザ部２２８により取得されたＷｅｂページに含まれる表示データを信号処理し、表示出力部２４４は、表示処理部２４０により信号処理された表示データを表示する。なお、表示処理部２４０は、制御部２２０による制御に従い、表示データを動画用の画質モードで信号処理することも、静止画用の画質モードで信号処理することも可能である。また、表示出力部２４４としては、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置などがあげられる。
【００３２】
メモリ２４８（記憶部）は、動画用の画質モードで表示処理部２４０が動作するために必要なデータ、静止画用の画質モードで表示処理部２４０が動作するために必要なデータ、およびアドレスが記憶されている。制御部２２０は、表示処理部２４０を動画用の画質モードで動作させる場合、メモリ２４８から動画用の画質モードのために必要なデータ（動画用の画質データ）を読み出して表示処理部２４０へ供給する。同様に、制御部２２０は、表示処理部２４０を静止画用の画質モードで動作させる場合、メモリ２４８から静止画用の画質モードのために必要なデータ（静止画用の画質データ）を読み出して表示処理部２４０へ供給する。なお、このようなメモリ２４８は、不揮発性メモリ、磁気ディスク、光ディスク、およびＭＯ（Ｍａｇｎｅｔｏ  Ｏｐｔｉｃａｌ）ディスクなどの記憶媒体であってもよい。不揮発性メモリとしては、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などがあげられる。
【００３３】
上述のようにメモリ２４８に記憶されているアドレスは、制御部２２０が、表示処理部２４０を動画用の画質モード、または静止画用の画質モードのいずれかで動作させるかを判断するために用いられる。具体的には、メモリ２４８に記憶されているアドレスは、動画を主体とするＷｅｂページのアドレスとして扱われる。このため、制御部２２０は、ユーザによりアクセスを指定されたＷｅｂページのアドレスが、メモリ２４８に記憶されているアドレスに含まれる場合、表示処理部２４０を動画用の画質モードで動作させると判断する。一方、制御部２２０は、ユーザによりアクセスを指定されたＷｅｂページのアドレスが、メモリ２４８に記憶されているアドレスに含まれない場合、表示処理部２４０を静止画用の画質モードで動作させると判断する。
【００３４】
また、制御部２２０は、図３に示すアドレス登録画面において、ユーザ操作に基づいてメモリ２４８に新たなアドレスを記録することができる。
【００３５】
図３は、アドレス登録画面の一例を示した説明図である。制御部２２０は、図３に示したアドレス登録画面において、現在または直近にブラウザ部２２８により取得されたＷｅｂページが動画を主体としているためにユーザにより「Ｙｅｓ」が選択された場合、当該Ｗｅｂページのアドレスをメモリ２４８へ記録する。その結果、表示装置２０が次回当該Ｗｅｂページを取得したとき、制御部２２０が自動的に表示処理部２４０を動画用の画質モードで動作させることが可能となるため、ユーザの利便性を向上することができる。
【００３６】
なお、図３にはアドレス登録画面におけるユーザ操作に基づいてアドレスが登録される例を説明したが、本実施形態はかかる例に限定されない。例えば、表示出力部２４４が、Ｗｅｂページの表示画面と併せてアイコンを表示し、制御部２２０は、当該アイコンがユーザにより選択された場合に表示中のＷｅｂページのアドレスをメモリ２４８に記録してもよい。
【００３７】
また、図４は、画質モードの選択画面の一例を示した説明図である。制御部２２０は、図４に示した画質モードの選択画面において、ユーザにより静止画用の画質モードから動画用の画質モードに変更された場合、現在または直近にブラウザ部２２８により取得されたＷｅｂページのアドレスをメモリ２４８へ記録してもよい。かかる構成によれば、ユーザが別途にＷｅｂページのアドレス登録を指示する必要が無くなるため、ユーザの利便性を向上することができる。
【００３８】
＜３．表示装置の動作＞
以上、図２〜図４を参照して本実施形態にかかる表示装置２０の構成について説明した。続いて、図５を参照し、本実施形態にかかる表示装置２０において実行される表示処理方法について説明する。
【００３９】
図５は、本実施形態にかかる表示装置２０において実行される表示処理方法の流れを示したフローチャートである。まず、図５に示したように、表示装置２０のブラウザ部２２８は、ユーザにより指定されたアドレスに配置されているＷｅｂページのデータをＬＡＮ接続部２２４を介してネットワーク１２から取得する（Ｓ３０４）。続いて、制御部２２０が、ユーザにより指定されたアドレスがメモリ２４８に記憶されているか否かを判断する（Ｓ３０８）。
【００４０】
そして、制御部２２０は、ユーザにより指定されたアドレスがメモリ２４８に記憶されている場合、メモリ２４８から動画用の画質モードのためのデータを読出し、表示処理部２４０へ出力する。このため、ブラウザ部２２８により取得されたＷｅｂページに含まれる表示データを表示処理部２４０が動画用の画質モードで信号処理して表示画面を生成し、当該表示画面を表示出力部２４４が表示する（Ｓ３１２）。
【００４１】
一方、制御部２２０は、ユーザにより指定されたアドレスがメモリ２４８に記憶されていない場合、メモリ２４８から静止画用の画質モードのためのデータを読出し、表示処理部２４０へ出力する。このため、ブラウザ部２２８により取得されたＷｅｂページに含まれる表示データを表示処理部２４０が静止画用の画質モードで信号処理して表示画面を生成し、当該表示画面を表示出力部２４４が表示する（Ｓ３１６）。そして、制御部２２０は、ユーザによりアドレス登録のための操作が行なわれた場合、現在表示中のＷｅｂページのアドレスをメモリ２４８に記録する（Ｓ３２４）。
【００４２】
＜４．まとめ、および補足＞
以上説明したように、本実施形態にかかる表示装置２０は、ユーザにより指定されたアドレスがメモリ２４８に記憶されている場合には動画用の画質モードで動作し、記憶されていない場合には静止画用の画質モードで動作することができる。すなわち、本実施形態にかかる表示装置２０は、ユーザによる画質モードの切替操作なしに画質モードを切替えることが可能である。
【００４３】
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４４】
例えば、上記では、メモリ２４８に動画を主体とするＷｅｂページのアドレスを記録する例を説明したが、本発明はかかる例に限定されない。変形例として、メモリ２４８に静止画を主体とするＷｅｂページのアドレスを記録してもよい。この場合、制御部２２０は、ユーザによりアクセスを指定されたＷｅｂページのアドレスが、メモリ２４８に記憶されているアドレスに含まれる場合、表示処理部２４０を静止画用の画質モードで動作させる。一方、制御部２２０は、ユーザによりアクセスを指定されたＷｅｂページのアドレスが、メモリ２４８に記憶されているアドレスに含まれない場合、表示処理部２４０を動画用の画質モードで動作させる。
【００４５】
例えば、本明細書の表示装置２０の処理における各ステップは、必ずしもフローチャートとして記載された順序に沿って時系列に処理する必要はない。例えば、表示装置２０の処理における各ステップは、並列的あるいは個別に実行される処理（例えば、並列処理あるいはオブジェクトによる処理）を含んでもよい。
【００４６】
また、表示装置２０に内蔵されるＣＰＵ、ＲＯＭおよびＲＡＭなどのハードウェアを、上述した表示装置２０の各構成と同等の機能を発揮させるためのコンピュータプログラムも作成可能である。また、該コンピュータプログラムを記憶させた記憶媒体も提供される。また、図２の機能ブロック図で示したそれぞれの機能ブロックをハードウェアで構成することで、一連の処理をハードウェアで実現することもできる。
【図面の簡単な説明】
【００４７】
【図１】本発明の一実施形態にかかるＷｅｂページ視聴システム１の構成を示した説明図である。
【図２】本実施形態にかかる表示装置２０の構成を示した機能ブロック図である。
【図３】アドレス登録画面の一例を示した説明図である。
【図４】画質モードの選択画面の一例を示した説明図である。
【図５】本実施形態にかかる表示装置２０において実行される表示処理方法の流れを示したフローチャートである。
【符号の説明】
【００４８】
１２      ネットワーク
２０      表示装置
２２      リモートコントローラ
２１６    受光部
２２０    制御部
２２８    ブラウザ部
２４０    表示処理部
２４４    表示出力部
２４８    メモリ
【図１】
2010130203.tif 000003
【図２】
2010130203.tif 000004
【図３】
2010130203.tif 000005
【図４】
2010130203.tif 000006
【図５】
2010130203.tif 000007